(57)【要約】【課題】  除電手段の汚れによる画像ノイズの発生を、ユーザの手をわずらわせず、且つ確実に防止することが出来る画像形成装置を提供する。【解決手段】  画像形成装置は、除電手段１９の汚れを清掃する除電手段清掃手段２１と、除電手段清掃手段を保持する保持手段２０と、画像形成ユニット２３の取り付け方向と逆方向に保持手段を押圧する押圧手段２２とを有する。画像形成ユニットの取り付け時に、保持手段が画像形成ユニットにより押されることによって除電手段清掃手段が除電手段上を摺動し、画像形成ユニットの取り外し時に、保持手段が押圧手段により押されることによって除電手段清掃手段が除電手段上を摺動する。したがって、画像形成ユニットを着脱すると同時に除電手段が清掃され、ユーザの手間が省かれるとともに、除電手段の汚れによる画像ノイズの発生を確実に防止することが出来る。【選択図】            図３
2005055677.tif 000002
【特許請求の範囲】
【請求項１】
像担持体、前記像担持体を帯電させる帯電手段、前記像担持体上に形成された静電潜像にトナーを付着させることによりトナー像の現像を行う現像手段、前記現像手段へ供給するトナーを収容するトナー収容器、前記トナー像を記録材に転写する転写手段、および前記転写手段で転写されずに前記像担持体上に残留した残留トナーを清掃する像担持体清掃手段のうちのいずれか一つ以上を含む画像形成ユニットが着脱可能な画像形成装置において、
前記像担持体上に残留した残留電荷を除去する除電手段と、
前記除電手段を清掃する除電手段清掃手段と、
前記除電手段清掃手段を保持する保持手段と、
前記画像形成ユニットの取り付け方向と逆方向に前記保持手段を押圧する押圧手段とを有し、
前記画像形成ユニットの取り付け時に、前記保持手段が前記画像形成ユニットにより押されることによって前記除電手段清掃手段が前記除電手段上を摺動し、前記画像ユニットの取り外し時に、前記保持手段が前記押圧手段により押されることによって前記除電手段清掃手段が前記除電手段上を摺動することを特徴とする画像形成装置。
【請求項２】
像担持体、前記像担持体を帯電させる帯電手段、前記像担持体上に形成された静電潜像にトナーを付着させることによりトナー像の現像を行う現像手段、前記現像手段へ供給するトナーを収容するトナー収容器、前記トナー像を記録材に転写する転写手段、および前記転写手段で転写されずに前記像担持体上に残留した残留トナーを清掃する像担持体清掃手段のうちのいずれか一つ以上を含む画像形成ユニットが着脱可能な画像形成装置において、
前記像担持体上に残留した残留電荷を除去する除電手段と、
前記除電手段を清掃する除電手段清掃手段と、
前記除電手段清掃手段を保持する保持手段とを有し、
前記画像形成ユニットには第１係合部が設けられるとともに、前期保持手段には前記第１係合部と係合可能な第２係合部が設けられ、
前記画像形成ユニットの装着の際に前記第１係合部と前記第２係合部が係合し、前記保持手段が前記画像形成ユニットの着脱に応じて連行されることによって、前記除電手段清掃手段が前記除電手段上を摺動することを特徴とする画像形成装置。
【請求項３】
前記除電手段は、発光部材を有することを特徴とする請求項１又は２記載の画像形成装置。
【請求項４】
前記保持手段には第３係合部が設けられるとともに、前記除電手段には前記第３係合部と係合可能な第４係合部が設けられ、
前記第４係合部は、前記画像形成ユニットの着脱方向に伸延されて設けられ、前記第３係合部は、前記画像形成ユニットの着脱方向に移動可能に前記第４係合部と係合されることを特徴とする請求項１又は２記載の画像形成装置。
【請求項５】
前記除電手段と対向して平行に設置され、前記画像形成ユニットの着脱に連動して移動させられる前記保持手段を案内するためのガイド部材を有し、
前記ガイド部材には、第５係合部が設けられるとともに、前記保持手段には前記第５係合部と係合可能な第６係合部が設けられ、
前記第５係合部は、前記画像形成ユニットの着脱方向に伸延されて設けられ、前記第６係合部は、前記画像形成ユニットの着脱方向に移動可能に前記第５係合部と係合されることを特徴とする請求項１又は２記載の画像形成装置。
【発明の詳細な説明】
【技術分野】
【０００１】
本発明は、画像形成装置に関し、特に、像担持体上に残留した残留電荷を除去する除電手段を有する画像形成装置に関する。
【背景技術】
【０００２】
電子写真方式の画像形成装置は、像担持体の表面電位を帯電手段により一様に帯電させ、露光光により印刷すべき画像の静電潜像を形成し、この静電潜像をトナーによって現像し、得られたトナー像を記録材に転写し、さらにこの記録材上のトナー像に熱と圧力を印加することによって、トナー像を記録材に定着させるといった工程を経て画像の印刷を行う。しかし、転写工程後の像担持体の表面に前回形成した画像の電位が残留していると、次の画像形成を行う際に前回形成した画像が画像ノイズとして現れてしまう。そこで転写工程後に、像担持体上に光を照射することにより残留電位を除去する除電手段が設けられている。これにより、像担持体表面の残留電位が除去され、画像ノイズの発生が防止される。
【０００３】
ところが、この画像形成装置を長期間にわたって使用していると、除電手段上にトナー等による汚れが付着してしまうことがあり、このため、除電光量が低下してしまい画像ノイズが発生することとなる。通常、かかる汚れを除去するために、ユーザ自身が除電手段の清掃を行っている。
【０００４】
一方、カラー複写機に関して、像担持体ユニットを収容した引出体の着脱時に、露光光透過部材が、清掃手段によって清掃させられる方法が開示されている（例えば、特許文献１参照）。
【特許文献１】特開平１１−２９５９５０号公報
【発明の開示】
【発明が解決しようとする課題】
【０００５】
しかしながら、ユーザ自身が除電手段の清掃を行う構成では、ユーザの手をわずらわせることになると同時に、ユーザが清掃を行わなかった場合に画像ノイズが発生することとなる。
【０００６】
また、特許文献１に記載の技術は、画像形成装置の除電手段の汚れによる画像ノイズの発生については考慮しておらず、これを解決するための具体的な方法を提示するものではない。
【０００７】
本発明は、上記の課題を解決するためになされたものであり、本発明の目的は、除電手段の汚れによる画像ノイズの発生を、ユーザの手をわずらわせず、且つ確実に防止することが出来る画像形成装置を提供することである。
【課題を解決するための手段】
【０００８】
本発明の目的は、下記の手段により達成される。
【０００９】
（１）像担持体、前記像担持体を帯電させる帯電手段、前記像担持体上に形成された静電潜像にトナーを付着させることによりトナー像の現像を行う現像手段、前記現像手段へ供給するトナーを収容するトナー収容器、前記トナー像を記録材に転写する転写手段、および前記転写手段で転写されずに前記像担持体上に残留した残留トナーを清掃する像担持体清掃手段のうちのいずれか一つ以上を含む画像形成ユニットが着脱可能な画像形成装置において、前記像担持体上に残留した残留電荷を除去する除電手段と、前記除電手段を清掃する除電手段清掃手段と、前記除電手段清掃手段を保持する保持手段と、前記画像形成ユニットの取り付け方向と逆方向に前記保持手段を押圧する押圧手段とを有し、前記画像形成ユニットの取り付け時に、前記保持手段が前記画像形成ユニットにより押されることによって前記除電手段清掃手段が前記除電手段上を摺動し、前記画像ユニットの取り外し時に、前記保持手段が前記押圧手段により押されることによって前記除電手段清掃手段が前記除電手段上を摺動することを特徴とする画像形成装置。
【００１０】
（２）像担持体、前記像担持体を帯電させる帯電手段、前記像担持体上に形成された静電潜像にトナーを付着させることによりトナー像の現像を行う現像手段、前記現像手段へ供給するトナーを収容するトナー収容器、前記トナー像を記録材に転写する転写手段、および前記転写手段で転写されずに前記像担持体上に残留した残留トナーを清掃する像担持体清掃手段のうちのいずれか一つ以上を含む画像形成ユニットが着脱可能な画像形成装置において、前記像担持体上に残留した残留電荷を除去する除電手段と、前記除電手段を清掃する除電手段清掃手段と、前記除電手段清掃手段を保持する保持手段とを有し、前記画像形成ユニットには第１係合部が設けられるとともに、前期保持手段には前記第１係合部と係合可能な第２係合部が設けられ、前記画像形成ユニットの装着の際に前記第１係合部と前記第２係合部が係合し、前記保持手段が前記画像形成ユニットの着脱に応じて連行されることによって、前記除電手段清掃手段が前記除電手段上を摺動することを特徴とする画像形成装置。
【００１１】
（３）前記除電手段は、発光部材を有することを特徴とする（１）又は（２）記載の画像形成装置。
【００１２】
（４）前記保持手段には第３係合部が設けられるとともに、前記除電手段には前記第３係合部と係合可能な第４係合部が設けられ、前記第４係合部は、前記画像形成ユニットの着脱方向に伸延されて設けられ、前記第３係合部は、前記画像形成ユニットの着脱方向に移動可能に前記第４係合部と係合されることを特徴とする（１）又は（２）記載の画像形成装置。
【００１３】
（５）前記除電手段と対向して平行に設置され、前記画像形成ユニットの着脱に連動して移動させられる前記保持手段を案内するためのガイド部材を有し、前記ガイド部材には、第５係合部が設けられるとともに、前記保持手段には前記第５係合部と係合可能な第６係合部が設けられ、前記第５係合部は、前記画像形成ユニットの着脱方向に伸延されて設けられ、前記第６係合部は、前記画像形成ユニットの着脱方向に移動可能に前記第５係合部と係合されることを特徴とする（１）又は（２）記載の画像形成装置。
【発明の効果】
【００１４】
本発明の画像形成装置によれば、ユーザが画像形成ユニットを例えば交換のために着脱すると同時に、除電手段が清掃されるため、ユーザが除電手段の清掃を行う手間を省くことが可能となるとともに、除電手段の汚れによる画像ノイズの発生を確実に防止することが出来る。さらに保持手段に設けられた係合部を、除電手段もしくは除電手段と平行に設置されたガイドレールに設けられた係合部に係合させることによって、除電手段と除電手段清掃手段の位置精度を高精度なものとできるため、除電手段の清掃効率が向上し画像ノイズの発生を抑制する効果が大きくなる。
【発明を実施するための最良の形態】
【００１５】
以下、本発明の実施形態を図面に従って詳細に説明する。
【００１６】
図１は、本発明の一実施形態に係る画像形成装置の内部構造を示す概略図である。本実施形態の画像形成装置１は、モノクロのプリンタである。
【００１７】
画像形成装置１本体の内部には、ドラム状の感光体より成る像担持体１０が配置されている。この像担持体１０は、図１における矢印方向に回転駆動し、帯電手段１２によってその表面１１が所定の極性に一様に帯電させられる。露光手段１３は、外部から受信された画像情報に基づいて、一様に帯電させられた像担持体表面１１に露光光を照射し、像担持体表面１１に静電潜像を形成する。
【００１８】
露光手段１３の下方には、ブラック（Ｋ）の色を有するトナーが収容されたトナー収容器１５を保持する現像手段１４が配置されている。この現像手段１４が、像担持体表面１１に形成された静電潜像上にトナーを付着することによって、静電潜像はトナー像に可視像可される。
【００１９】
さらに像担持体表面１１に形成されたトナー像は、現像手段１４の下方に設けられた転写手段１６によって、給紙部１７から搬送された用紙などの記録材上に転写され、記録材上のトナー像に熱と圧力を印加することによって、トナー像は記録材に定着させられる。
【００２０】
転写工程後において、記録材に転写されずに像担持体表面１１に残留したトナーは、像担持体清掃手段１８によって清掃され、また、像担持体表面１１に残留した残留電荷は、次回の画像形成時に画像ノイズが発生することを防止するために除電手段１９によって除去される。
【００２１】
なお、本発明の画像形成装置はモノクロのプリンタに限定されるものではない。すなわち、本発明の画像形成装置は、モノクロ、モノカラーおよびフルカラーの複写機、ＦＡＸ、プリンタに広く適用できる。例えば、フルカラーの画像形成装置の現像手段は、シアン（Ｃ）、マゼンダ（Ｍ）、イエロー（Ｙ）、およびブラック（Ｋ）のトナー収容器を保持する。このフルカラーの画像形成装置においては、例えば、記録材への転写工程前に、現像手段によって各色のトナーを像担持体の表面に形成された静電潜像に付着させた後に、各色のトナー像が中間転写体へ順次転写される中間転写工程が設けられる。
【００２２】
図２は、説明の便宜のため図１の上下を逆にした像担持体１０周辺の斜視図であり、像担持体表面１１の残留電荷を除去する様子を示している。除電手段１９は、転写工程後において像担持体表面１１に残留した残留電荷を、光（図中二点鎖線で示す）を照射して除去している。このように、除電手段１９は光を出力する発光手段を含むものであるとよい。この光を一様に像担持体表面１１に照射して残留電荷を漏れなく除去するために、除電手段１９が着実に清掃され、除電手段１９からの照射光の光量が減ずることのないようにすることが必要である。本発明は、この除電手段１９を着実に、且つユーザに手間をかけさせることなく清掃を行うために、図３に示すように、除電手段１９を清掃する除電手段清掃手段２１を含む清掃機構部を提供する。本実施形態では、除電手段清掃手段２１は、発泡体によって形成されている。
【００２３】
図３は、除電手段１９を清掃する除電手段清掃手段２１を含む清掃機構部の一例を示している。本実施形態では、図１に示す像担持体１０、帯電手段１２、現像手段１４および転写手段１６を収容する画像形成ユニット２３が、画像形成装置１に対して着脱可能に設けられている。さらに、画像形成装置１の本体側には、除電手段１９と摺接するように設けられた除電手段清掃手段２１と、この除電手段清掃手段２１を保持した保持手段２０とが設けられている。保持手段２０は、押圧手段２２によって画像形成ユニット２３を画像形成装置１内へ挿入する方向Ａと逆方向Ｂへ力がかけられている。押圧手段２２は、一例として図に示すように、バネなどの弾性部材２２a、ワイヤ２２ｂ、およびプーリ２２ｃを用いて簡素化された構成とすることができる。
【００２４】
なお、本発明の画像形成ユニットの構成は、本実施形態に限定されず、本発明は、像担持体、帯電手段、現像手段、トナー収容器、転写手段、像担持体清掃手段のうちのいずれか一つ以上を含む画像形成ユニットに適用可能である。
【００２５】
次に、除電手段１９の清掃方法について説明する。図３に示すように画像形成ユニット２３を画像形成装置１内へ方向Ａに向けて挿入することで、保持手段２０が押し込まれ、除電手段清掃手段２１が除電手段１９上を摺動することによって、除電手段１９の清掃が行われる。また、画像形成ユニット２３を方向Ｂに向けて画像形成装置１から取り出す際には、画像形成ユニット２３による押圧手段２２への押し込み力が解除され、押圧手段２２による方向Ｂに向けての押圧力が発生し、保持手段２０は画像形成ユニット２３を挿入する前の初期位置まで移動する。それにともなって、除電手段清掃手段２１は除電手段１９上を再度、摺動し除電手段１９を清掃する。
【００２６】
図４に、画像形成ユニットの着脱時に、保持手段に与えられる駆動力の伝達手段について、図３とは別態様の一例を示す。画像形成装置１内部において、図３と同様に保持手段１２０は除電手段清掃手段２１を保持し、除電手段清掃手段２１は除電手段１９と摺接するように設置されている。画像形成装置１に挿入される画像形成ユニット１２３の先端部には、保持手段１２０を内包可能な第１の凹部１２３ａが設けられ、その凹部内面上に第１の突起１２３ｃが設けられている。さらに、第１の凹部１２３ａから画像形成ユニット１２３の内部に向けて、除電手段１９を内包可能で、且つ保持手段１２０よりも小さな断面寸法を有する第２の凹部１２３ｂが設けられている。
【００２７】
保持手段１２０は、第１の突起１２３ｃの直径よりわずかに小さい溝幅を有する溝延長部１２０ａと、その溝延長部１２０ａの方向Ａに向かう先端部と連続するように、第１の突起１２３ｃを内包可能な断面寸法を有する円形溝１２０ｂを有している。また、保持手段１２０は、可撓性を有する材料によって形成されている。例えば、可撓性を有する材料として、樹脂が使用され得る。
【００２８】
画像形成ユニット１２３を方向Ａに向けて画像形成装置１内へ挿入する際には、第１の突起１２３ｃの直径が溝延長部１２０ａの溝幅よりもわずかに小さいために、第１の突起１２３ｃは溝延長部１２０ａ内へ進入することなく、溝延長部１２０ａの入り口が位置する保持手段１２０の側面部壁を押圧する。それにともない、画像形成ユニット１２３が画像形成装置１内へ挿入される駆動力が保持手段１２０に伝達され、保持手段１２０は、画像形成ユニット１２３に連行されて、除電手段１９上を方向Ａに向けて移動し、除電手段清掃手段２１は、除電手段１９を清掃する。保持手段１２０は、除電手段１９の図面右端部に到達した時点で、図示しない第１のストッパにより移動を停止させられ、除電手段清掃手段２１も除電手段１９の清掃を完了する。画像形成ユニット１２３の画像形成装置１内への挿入を完了するために、さらに、画像形成ユニット１２３が方向Ａに向けて駆動力を与えられると、保持手段１２０は可撓性を有するために、突起１２３ｃは、溝延長部１２０ａ内へ押し込まれる。画像形成ユニット１２３の画像形成装置１内への挿入完了時には、第１の突起１２３ｃは溝延長部１２０ａ内を脱出し、円形溝１２０ｂ内に到達して保持される。画像形成ユニット１２３の第１の凹部１２３ａと１２３ｂとの境界に位置する段差部は、第１の突起１２３ｃと円形溝１２０ｂの嵌合時に、保持手段１２０の端面に当接して保持手段１２０を押すことができるように構成されるとよい。
【００２９】
画像形成ユニット１２３を方向Ｂに向けて画像形成装置１から取り出す際には、第１の突起１２３ｃも方向Ｂへ移動するが、突起１２３ｃの直径よりも溝延長部１２０ａの溝幅が小さいために、第１の突起１２３ｃは溝延長部１２０ａ内へ進入することなく、円形溝１２０ｂ入り口部の保持手段１２０の壁を押圧する。その押圧によって、画像形成ユニット１２３が取り出される駆動力が保持手段１２０に伝達される。このため、保持手段１２０は、画像形成ユニット１２３に連行されて、除電手段１９上を方向Ｂに向けて移動し、除電手段清掃手段２１は除電手段１９を清掃する。保持手段１２０は、除電手段１９の図面左端部に到達した時点で、図示しない第２のストッパにより移動を停止させられ、除電手段清掃手段２１も除電手段１９の清掃を完了する。さらに、画像形成ユニット１２３の画像形成装置１からの取り出しを完了するために、画像形成ユニット１２３を方向Ｂに向けて駆動力を与えられると、その駆動力が第１の突起１２３ｃを介して保持手段１２０に引き続き伝達され、保持手段１２０は可撓性を有するために、第１の突起１２３ｃは溝延長部１２０ａ内に押し込まれる。画像形成ユニット１２３の画像形成装置１からの取り出し完了時には、第１の突起１２３ｃは、溝延長部１２０ａから脱出している。
【００３０】
なお、上述した保持手段が形成される材料の構成は、本実施形態に限定されるものではない。必ずしも、保持手段は、その全体が可撓性を有する材料によって形成されている必要は無く、上述した突起の溝延長部内への押し込みが可能な程度に、溝延長部周辺が可撓性を有する材料によって形成されていればよい。また、上述した画像形成ユニットが有する突起と保持手段が有する溝延長部および円形溝の構成は本実施形態に限定されるものではない。例えば、画像形成ユニットの一部が可撓性を有する材料で形成されるとともに溝延長部および円形溝を有し、保持手段が、突起を有してもよい。
【００３１】
図５には、図３および図４とは別態様の、保持手段に与えられる駆動力の伝達手段を示す。図３および図４と同様に、保持手段２２０は除電手段清掃手段２１を保持し、除電手段清掃手段２１は除電手段１９と摺接するように形成されている。画像形成装置１内に挿入される画像形成ユニット２２３の先端部には、保持手段２２０を内包可能な第３の凹部２２３ａが設けられ、その第３の凹部２２３ａの内面には切欠２２３ｃが設けられている。さらに、第３の凹部２２３ａから画像形成ユニット２２３の内部に向けて、除電手段１９を内包可能で、且つ保持手段２２０の断面寸法よりも小さな断面寸法を有する第４の凹部２２３ｂが設けられている。
【００３２】
保持手段２２０の表面には、切欠２２３ｃと嵌合する可撓性を有する材料で形成された第２の突起２２０ａが設けられている。画像形成ユニット２２３を画像形成装置１内へ挿入することにより第３の凹部２２３ａ内面に設けられた切欠２２３ｃは、第２の突起２２０ａと嵌合することによって、画像形成ユニット２２３を挿入する駆動力が、保持手段２２０に伝達される。それにともない、保持手段２２０は、画像形成ユニット２２３に連行されて、除電手段１９上を方向Ａに向けて移動し、除電手段清掃手段２１は、除電手段１９を清掃する。画像形成ユニット２２３の画像形成装置１内への挿入完了と同時に、保持手段２２０は、除電手段１９の図面右端部に移動し、除電手段清掃手段２１は除電手段１９の清掃を完了する。画像形成ユニット２２３の第３の凹部２２３ａと第４の凹部２２３ｂとの境界に位置する段差部は、切欠２２３ｃと第２の突起２２０ａの嵌合時に、保持手段２２０の端面に当接して保持手段２２０を押すことができるように構成されるとよい。
【００３３】
画像形成ユニット２２３を方向Ｂに向けて画像形成装置１から取り出す際には、その画像形成ユニット２２３を取り出す駆動力は、再び上述した切欠２２３ｃと第２の突起２２０ａにより形成される嵌合部を介して保持手段２２０に伝達される。それにともない、保持手段２２０は画像形成ユニット２２３に連行されて除電手段１９上を方向Ｂに向けて移動し、除電手段清掃手段２１は除電手段１９を清掃する。保持手段２２０が除電手段１９の図面左端部に到達した時点で、図示しない第３のストッパにより移動を停止させられ、除電手段清掃手段２１は除電手段１９の清掃を完了する。さらに、画像形成ユニット２２３の画像形成装置１からの取り出しを完了するために、画像形成ユニット２２３が方向Ｂに向けて駆動力を与えられると、画像形成ユニット２２３の第３の凹部２２３ａ表面に設けられた切欠２２３ｃは、第２の突起２２０ａから解除されて、画像形成ユニット２２３は、画像形成装置１からの取り出しが完了される。
【００３４】
なお、上述した画像形成ユニットが有する切欠と保持手段が有する突起で構成される嵌合部は本実施形態に限定されるものではない。例えば、画像形成ユニットの凹部内面に可撓性を有する材料で形成された突起を設け、保持手段にその突起と嵌合する切欠を設けてもよい。
【００３５】
図５に記載の除電手段１９の清掃方法において、除電手段１９に対してさらなる高効率な清掃を行うために、図６に保持手段２０の高精度な移動のためのガイド方法を示す。除電手段１９は、画像形成ユニット２３の着脱方向に伸延されて形成された第４の凹部１９ａを有し、保持手段２０は、第４の凹部１９ａと嵌合する第３の突起２０ａを有している。
【００３６】
なお、上述した除電手段が有する凹部と保持手段が有する突起とで構成される嵌合部は本実施形態に限定されるものではない。例えば、逆に、保持手段が凹部を有し、除電手段が突起を有していてもよい。
【００３７】
画像形成ユニット２３の画像形成装置１内への着脱時には、保持手段２０が有する第３の突起２０ａは、除電手段１９が有する第４の凹部１９ａに嵌合して、除電手段１９上を移動するために、保持手段２０は、除電手段１９上を精度よく移動することが可能となる。それにともない、除電手段１９に擦接する除電手段清掃手段２１の位置決めを高精度とすることが可能となり、除電手段１９のより高効率な清掃が達成される。
【００３８】
図７に、図６とは別態様である保持手段２０の高精度な移動のためのガイド方法を示す。ガイドレール２４が画像形成装置１本体内に、除電手段１９と対向して平行に設置されている。ガイドレール２４は、その頂部に、保持手段が除電手段上を移動する軌跡上に突出して、且つ画像形成ユニット２３の着脱方向に伸延されたフランジ２４ａを有している。一方、保持手段２０は、フランジ２４ａに嵌合する第５の凹部２０ｂを有している。
【００３９】
なお、上述した嵌合部は本実施形態に限定されるものではない。例えば、逆に、ガイドレールが画像形成ユニットの着脱方向に伸延された凹部を有し、保持手段が凸部を有していてもよい。
【００４０】
画像形成ユニット２３の画像形成装置１内への着脱時には、保持手段２０が有する第５の凹部２０ｂは、ガイドレール２４が有するフランジ２４ａと嵌合して除電手段１９上を移動するために、保持手段２０は、除電手段１９上を精度よく移動することが可能となる。それにともない、除電手段１９に擦接する除電手段清掃手段２１の位置決めを高精度とすることが可能となり、除電手段１９のより高効率な清掃が達成される。
【００４１】
本発明は、上記した実施形態のみに限定されるものではなく、特許請求範囲内において種々改変することができる。
【００４２】
例えば、除電手段清掃手段は、ゴムブレードおよび布などによって形成されてもよい。また、図４、図５で示した方法以外に、保持手段に駆動力を伝達するために、画像形成ユニットと保持手段は、磁力によって係合されてもよい。さらに、図６に示した方法以外の保持手段の高精度な移動のためのガイド方法として、保持手段と除電手段とを磁力によって係合する方法が採用され得る。
【００４３】
また、図６または図７に示す保持手段の高精度な移動のためのガイド方法は、図４または図５に記載の除電手段の清掃方法に適用されてもよいことはもちろんである。
【図面の簡単な説明】
【００４４】
【図１】本発明の画像形成装置の内部構造を示す概略図である。
【図２】図１の上下を逆にして示す像担持体周辺の斜視図である。
【図３】本発明の除電手段を清掃する除電手段清掃手段を含む清掃機構部を説明する斜視図である。
【図４】本発明の保持手段に駆動力を伝達する別の手段を説明する断面図である。
【図５】本発明の保持手段に駆動力を伝達するさらに別の手段を説明する断面図である。
【図６】本発明の保持手段の高精度な移動のためのガイド方法を説明する斜視図である。
【図７】本発明の保持手段の高精度な移動のための別のガイド方法を説明する斜視図である。
【符号の説明】
【００４５】
１          画像形成装置、
１０        像担持体、
１２        帯電手段、
１４        現像手段、
１５        トナー収容器、
１６        転写手段、
１８        像担持体清掃手段、
１９        除電手段、
１９ａ      第４の凹部（第４係合部）、
２０，１２０，２２０    保持手段、
２０ａ      第３の突起（第３係合部）、
２０ｂ      第５の凹部（第６係合部）、
２１        除電手段清掃手段、
２２        押圧手段、
２３，１２３，２２３    画像形成ユニット、
２４        ガイドレール（ガイド部材）、
２４ａ      フランジ（第５係合部）、
１２０ａ    溝延長部（第２係合部）、
１２０ｂ    円形溝（第２係合部）、
１２３ｃ    第１の突起（第１係合部）、
２２０ａ    第２の突起（第２係合部）、
２２３ｃ    切欠（第１係合部）。
【図１】
2005055677.tif 000003
【図２】
2005055677.tif 000004
【図３】
2005055677.tif 000005
【図４】
2005055677.tif 000006
【図５】
2005055677.tif 000007
【図６】
2005055677.tif 000008
【図７】
2005055677.tif 000009